(57)【要約】【課題】  超高層ビルは勿論の事、あらゆる場所の、トイレの個室内のほとんどの照明が、使用中以外も常時点灯され放し状態にあり、無駄に電力が消費されている。【解決手段】  本発明の器具の筒をトイレの個室のドア又は外枠に取り付け、筒から引き出してあるテグス糸を、個室内の照明器具に取り付けた紐付きソケットのスイッチに結び付ける事で、入力させたままの電源を、ただドアを開ける度にスイッチが切りかわり点灯消灯と繰り返され、点灯されっ放し状態が解決する。【選択図】図１
2007324104.tif 000002
【特許請求の範囲】
【請求項１】
アルミ又は天然素材等で出来た筒（１）の一方の口に取り外しの出来る様にネジ山を付けたキャップ（２）を取り付け、そのキャップ（２）の中央に引きバネ（３）を筒（１）の中に向けて取り付けてある事を特徴とした紐付きソケットのスイッチ（７）を点灯消灯と交互に切りかえさせる器具。
【請求項２】
請求項１に記載の筒（１）のもう一方の口を細くし、その口に外へ向けて天然素材等で出来た蛇腹（４）を取り付けてある事を特徴とした紐付きソケットのスイッチ（７）を点灯消灯と交互に切りかえさせる器具。
【請求項３】
請求項１に記載のキャップ（２）に取り付けた引きバネ（３）の頭にテグス糸（５）を結び付け筒（１）の中を通し、請求項２に記載の蛇腹（４）の中も通して外へ引き出してある事を特徴とした紐付きソケットのスイッチ（７）を点灯消灯と交互に切りかえさせる器具。
【発明の詳細な説明】
【発明の詳細な説明】
【技術分野】
【０００１】  本発明は、トイレの個室内の照明器具に取り付けた紐付きソケットのスイッチを、ドアを開ける度に点灯消灯と交互に切りかえさせる器具に関する。
【背景技術】
【０００２】  従来、手でスイッチを一回一回切りかえるため消し忘れがあったり、あるいは付けっ放し状態であったり、又、センサースイッチ等で自動的に点灯消灯させるには待機電力を必要とするため、トイレの個室の照明等にはほとんど使用される事は無かった。
【発明が解決しようとする課題】
【０００３】  超高層ビルを初めとする大小さまざまなビルは勿論の事、あらゆる場所の、トイレの個室内一ヶ所一ヶ所に取り付けられた電球又は螢光灯等の照明のそのほとんどが、使用中以外も、常時点灯されっ放し状態にあり無駄に電力が消費されているという問題点があった。
【課題を解決するための手段】
【０００４】  上記の問題点を解決するために、本発明の器具をトイレの個室のドア又は外枠に取り付け、器具より引き出してあるテグス糸を個室内の照明器具に取り付けた紐付きソケットのスイッチ部分に結び付ける事により、入力させたままの電源をただドアを開ける度にスイッチが切りかわり点灯消灯と繰り返され、点灯されっ放し状態を解決する。
【発明を実施するための最良の形態】
【０００５】  本発明の器具の筒（１）（以下総称して筒と称す）をドアの縦外枠（９）に専用金具（１１）で取り付け、ヒートン金具（６）を筒（１）の真上の横外枠（８）に一ヶ所と、そのヒートン金具（６）と筒（１）との中間あたりの位置でドア（１０）にも一ヶ所、さらに、紐付きソケットのスイッチ（７）（以下総称してスイッチと称す）迄の角々にも取り付け、筒（１）より引き出してあるテグス糸（５）を、各ヒートン金具（６）の中を通してからスイッチ（７）に結び付ける。
【実施例】
【０００６】  実施例について図面を参照して説明する。
ドア（１０）に取り付けたヒートン金具（６）の中を通したテグス糸（５）の一方は、縦外枠（９）に取り付けた筒（１）の中の引きバネ（３）に結び付けてあり又、もう一方は個室内の照明器具に取り付けたスイッチ（７）に結び付けてあるため、ドア（１０）を開ける事によりテグス糸（５）を引っ張るが、ソケットに内蔵されたスイッチ（７）用のバネより筒（１）の中の引きバネ（３）の力が強いため、スイッチ（７）側のテグス糸（５）だけを引っ張る事によりスイッチ（７）を引き図２（ドアは示せず）点灯又は消灯に切りかわるが、スイッチ（７）はその時点で動かなくなるためテグス糸（５）を引く事が出来なくなる。【０００７】  この時点でのドア（１０）は、スイッチ（７）分のわずかな長さだけしか開かず人の出入りは出来ないが、当然続けてドア（１０）を開ける事により、今度は、今までテグス糸（５）を引っ張っていた引きバネ（３）が、逆に引っ張られて伸びる図３（ドアは示せず）事により、ドア（１０）を全開させる事が出来る。【０００８】  ドア（１０）を閉める事により引きバネ（３）が元に戻る図２（ドアは示せず）と同時に、スイッチ（７）を引っ張っていたテグス糸（５）がゆるむため、今度はソケットに内蔵されたスイッチ（７）用のバネにより点灯又は消灯したままでテグス糸（５）を引きながらスイッチ（７）も元に戻る図１。【０００９】  なお、筒（１）の一方の口に取り外しの出来るキャップ（２）を取り付けた事により、万一テグス糸（５）が切れた場合も簡単に付けかえることが出来る。【００１０】  また、蛇腹（４）を筒（１）のもう一方の口に付けた事により、テグス糸（５）が筒（１）の口の角に直接触れず、ドア（１０）の動きにそって角度や向きを自由に変える事が出来るので擦り切れ防止をする。
【発明の効果】
【００１１】  本発明は、以上説明したような形態で実施されるため、以下に記載するような効果を奏する。
【００１２】  電気工事の必要もなく、誰にでも簡単に本発明の器具及び紐付きソケットを取り付けられる事で、電源を入力させっ放しにも拘らず、ただドアを開ける度にスイッチが引かれ点灯消灯を繰りかえし、付けっ放し状態が即座に解決され電力を無駄に消費する事が全く無くなり、電気代の節約にもなる。
【００１３】  一灯一灯の消費電力は僅かではあるが、超高層ビルが次々と建つ昨今、ビルばかりでは無くあらゆる個所の、使用中を除く、常時付けっ放し状態で無駄に消費されている電力をまとめると、チリも積もれば式で天文学的数字にも上り、その無駄を無くす事は単なる省エネになるばかりではなく、地球温暖化の原因ともなる二酸化炭素（ＣＯ２）排出の削減にも莫大な効果を発揮するものである。
【図面の簡単な説明】
【００１４】
【図１】ドアに取り付けた器具の縦断面図とスイッチ及びドアと外枠の一部分を示す実施例である。
【図２】スイッチを変換させた時の器具の拡大縦断面図とスイッチを示す実施例である。
【図３】ドアを全開させた時の器具の拡大縦断面図とスイッチを示す実施例である。
【符号の説明】
【００１５】１        筒
２        キャップ
３        引きバネ
４        蛇腹
５        テグス糸
６        ヒートン金具
７        スイッチ
８        横外枠
９        縦外枠
１０      ドア
１１      専用取り付け金具
【図１】
2007324104.tif 000003
【図２】
2007324104.tif 000004
【図３】
2007324104.tif 000005
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
ドアの縦外枠に取り付ける器具であって、筒の一方の口にはテグス糸を結び付ける為に取り外しの出来る様にネジ山を付けたキャップを付け、そのキャップの中央に、紐付きソケットのスイッチ用のバネより引く力が強い引きバネを筒の中に向けて取り付け、その引きバネの頭にテグス糸の一端を結び付けて筒の中を通し、もう一方の口より引き出しておき、ドアの縦外枠に専用金具で筒を取り付ける事で、筒を縦外枠よりはみ出させ、筒の真上のドア部分とその上の横枠とに一個づつ取り付けたヒートン金具に、筒より引き出しておいたテグス糸を通し、照明器具に取り付けた紐付きソケットのスイッチに結び付ける構成を特徴とした紐付きソケットのスイッチを点灯消灯と交互に切りかえさせる器具。
【請求項２】
請求項１に記載の筒の、テグス糸を引き出した方の口を細くし、テグス糸の擦り切れ防止の為に、外へ向けて蛇腹を取り付けてある事を特徴とした紐付きソケットのスイッチを点灯消灯と交互に切りかえさせる器具。